(57)【要約】【課題】着脱が容易であり、装着時に皺が寄らず使用者の違和感や不快感を低減することができ、かつ、靴擦れを有効に防止することができる、フットカバーを提供する。【解決手段】装着時に足裏を覆う底部と踵を覆う踵部を有し、踵部に滑り止め部５０を有するフットカバーであり、滑り止め部５０は、フットカバー１の踵部４０の上端４１に設けられ、当該上端４１に沿って延在する帯状の第１滑り止め部５１と、第１滑り止め部５１の左右両端近傍にそれぞれ形成され、前記第１滑り止め部５１側から底部１０側へとそれぞれ延在する一対の第２滑り止め部５２と、一対の第２滑り止め部５２の間に形成され、前記第１滑り止め部５１側から底部１０側へと延在する帯状の第３滑り止め部５３とを有し、第１滑り止め部５１は、上辺５１１が湾曲した２つのアーチ部５１２，５１３を有するとともに、当該上辺５１１が踵部４０の上端縁４２を構成する、フットカバー。【選択図】図２
2020139253.tif 000002
【特許請求の範囲】
【請求項１】
装着時に足裏を覆う底部と踵を覆う踵部を有し、踵部に滑り止め部を有するフットカバーであり、
前記滑り止め部は、
フットカバーの踵部の上端に設けられ、当該上端に沿って延在する帯状の第１滑り止め部と、
前記第１滑り止め部の左右両端近傍にそれぞれ形成され、前記第１滑り止め部側から底部側へとそれぞれ延在する一対の第２滑り止め部と、
前記一対の第２滑り止め部の間に形成され、前記第１滑り止め部側から底部側へと延在する帯状の第３滑り止め部とを有し、
前記第１滑り止め部は、上辺が湾曲した２つのアーチ部を有するとともに、当該上辺が前記踵部の上端縁を構成する、フットカバー。
【請求項２】
前記第３滑り止め部の底部側の端部が、踵骨の隆起に到達するように構成されている、請求項１に記載のフットカバー。
【請求項３】
前記第３滑り止め部および前記一対の第２滑り止め部の底部側の端部の位置が略同一の水平線上に位置するように構成されている、請求項２に記載のフットカバー。
【請求項４】
前記一対の第２滑り止め部および前記第３滑り止め部が、前記第１滑り止め部から連続している、請求項１ないし３のいずれかに記載のフットカバー。
【請求項５】
前記第３滑り止め部から前記一対の第２滑り止め部のそれぞれまでの間隔が略同じである、請求項１ないし４のいずれかに記載のフットカバー。
【請求項６】
前記滑り止め部は、全体で、アルファベット小文字の略ｍ字状となっている、請求項１ないし５のいずれかに記載のフットカバー。
【請求項７】
前記滑り止め部は、全体で、時計周りで９０度回転させた略Ｅ字状となっている、請求項１ないし５のいずれかに記載のフットカバー。
【請求項８】
前記踵部は立体裁断により形成されている、請求項１ないし７のいずれかに記載のフットカバー。
【発明の詳細な説明】
【技術分野】
【０００１】
本発明は、滑り止め部を踵部に有するフットカバーに関する。
【背景技術】
【０００２】
従来、靴を素足で履いているかのように見せるために、甲部分が広く開いており、かつ、つま先から踵までを覆うフットカバーが普及している。また、このようなフットカバーにおいて、フットカバーが使用者の意図に反して脱げてしまうことを防止するために、踵部に滑り止め部を備えるフットカバーが知られている（たとえば特許文献１）。
【先行技術文献】
【特許文献】
【０００３】
【特許文献１】実開平５−１９３０４号公報
【発明の概要】
【発明が解決しようとする課題】
【０００４】
近年、フットカバーに、単に脱げにくいだけではなく、着脱が容易である、装着時に皺が寄らず違和感や不快感が少ない、靴擦れを軽減することができるなど、多くの機能を備えることが期待されている。
【０００５】
本発明は、着脱が容易であり、装着時に皺が寄らないため違和感や不快感が少なく、かつ、靴擦れを有効に防止することができるという機能を同時に発揮することができるフットカバーを提供することを目的とする。
【課題を解決するための手段】
【０００６】
本発明は、以下の（１）〜（８）のフットカバーに関する。
（１）本発明に係るフットカバーは、装着時に足裏を覆う底部と踵を覆う踵部を有し、踵部に滑り止め部を有するフットカバーであり、前記滑り止め部は、フットカバーの踵部の上端に設けられ、当該上端に沿って延在する帯状の第１滑り止め部と、前記第１滑り止め部の左右両端近傍にそれぞれ形成され、前記第１滑り止め部側から底部側へとそれぞれ延在する一対の第２滑り止め部と、前記一対の第２滑り止め部の間に形成され、前記第１滑り止め部側から底部側へと延在する帯状の第３滑り止め部とを有し、前記第１滑り止め部は、上辺が湾曲した２つのアーチ部を有するとともに、当該上辺が前記踵部の上端縁を構成する。
（２）上記フットカバーにおいて、前記第３滑り止め部の底部側の端部が、踵骨の隆起に到達するように構成することができる。
（３）上記フットカバーにおいて、前記第３滑り止め部および前記一対の第２滑り止め部の底部側の端部の位置が略同一の水平線上に位置するように構成されているように構成することができる。
（４）上記フットカバーにおいて、前記一対の第２滑り止め部および前記第３滑り止め部が、前記第１滑り止め部から連続しているように構成することができる。
（５）上記フットカバーにおいて、前記第３滑り止め部から前記一対の第２滑り止め部のそれぞれまでの間隔が略同じであるように構成することができる。
（６）上記フットカバーにおいて、前記滑り止め部は、全体で、アルファベット小文字の略ｍ字状となっているように構成することができる。
（７）上記フットカバーにおいて、前記滑り止め部は、全体で、時計周りで９０度回転させた略Ｅ字状となっているように構成することができる。
（８）上記フットカバーにおいて、前記踵部は立体裁断により形成されているように構成することができる。
【発明の効果】
【０００７】
本発明によれば、着脱が容易であり、装着時に皺が寄らず違和感や不快感が少なく、かつ、靴擦れを有効に防止することができるという機能を同時に発揮することができるフットカバーを提供することができる。
【図面の簡単な説明】
【０００８】
【図１】本実施形態に係るフットカバーを示す斜視図である。
【図２】第１実施形態に係る滑り止め部を示す図である。
【図３】第１実施形態に係るフットカバーの装着状態を示す背面図である。
【図４】第１実施形態に係るフットカバーの装着状態を示す斜視図である。
【図５】本実施例および従来のフットカバーの装着状態を撮像した写真である。
【図６】第２実施形態に係る滑り止め部を示す図である。
【発明を実施するための形態】
【０００９】
以下に、本発明に係るフットカバーの実施形態を図に基づいて説明する。
【００１０】
≪第１実施形態≫
図１は、第１実施形態に係るフットカバーを示す斜視図である。図１に示すように、本実施形態に係るフットカバー１は、底部１０と、側部２０とを縫い合わせることで形成される。また、フットカバー１は、底部１０と側部２０とを縫い合わせることで、図１に示すように、装着時に使用者の踵部分を包む踵部４０を形成しており、踵部４０の内側上部には滑り止め部５０が設けられている。
【００１１】
フットカバー１を構成する底部１０の生地および側部２０の生地は、特に限定されないが、底部１０の生地は吸汗性や通気性を高くするために主に綿を用いることが好ましく、また、ある程度の伸縮性を備えるように、綿にポリウレタンを織り込んだ構成とすることが好ましい。また、側部２０の生地はフィット感を高くするために主にナイロンを用いることが好ましく、さらに伸縮性を備えるように、ポリウレタンを織り込む構成とすることが好ましい。
【００１２】
滑り止め部５０は、フットカバー１が使用者の意図に反して脱げてしまうことを防止するため、踵部４０の生地よりも摩擦係数が高く、かつ、踵部４０の生地に固着することができる、樹脂を素材としている。本実施形態に係る滑り止め部５０では、靴擦れを防止するために、クッション性の高い、シリコーン樹脂により滑り止め部５０を形成している。
【００１３】
図２は、第１実施形態に係る滑り止め部５０の形状を説明するための図である。図２に示すように、滑り止め部５０は、全体として、湾曲した形状を有し、アルファベット小文字の「ｍ」に似た形状で形成されている。本実施形態において、滑り止め部５０は、図２に示すように、第１滑り止め部５１と、一対の第２滑り止め部５２と、第３滑り止め部５３とから構成される。なお、本実施形態では、説明の便宜上、滑り止め部５０を、第１滑り止め部５１と、一対の第２滑り止め部５２と、第３滑り止め部５３とに分けて説明するが、実際の製造では、第１滑り止め部５１、一対の第２滑り止め部５２および第３滑り止め部５３を一体的に形成することで、滑り止め部５０を一体に形成することができる。
【００１４】
図３は、第１実施形態に係るフットカバーの装着状態を示す背面図であり、図４は、第１実施形態に係るフットカバーの装着状態を示す斜視図である。図３および図４に示すように、第１滑り止め部５１は、フットカバー１の踵部４０の上端部４１に設けられており、上端部４１に沿って左右方向に帯状に延在している。より具体的には、図３に示すように、第１滑り止め部５１の上辺５１１が、踵部４０の上端縁４２と一致するように、滑り止め部５０が踵部４０の内側に形成されている。たとえば、滑り止め部５０を踵部４０の上部生地上に形成した後に、第１滑り止め部５１の上辺５１１近傍を踵部４０の生地ごと切り取ることで、第１滑り止め部５１の上辺５１１と踵部４０の上端縁４２とを一致させることができる。
【００１５】
また、図２に示すように、第１滑り止め部５１は、湾曲する２つのアーチ部５１２，５１３を有しており、これにより、図３に示すように、踵部４０の上端縁４２にも２つのアーチ４２１，４２２が形成される。第１滑り止め部５１の湾曲する２つのアーチ部５１２，５１３は、図２に示すように、谷部５１４を挟んで左右対称に形成されている。これにより、滑り止め部５０は、使用者の踵を左右側面からアーチ部５１２，５１３で挟み込むことができ、フットカバー１の装着安定性を向上させることができる。
【００１６】
一対の第２滑り止め部５２は、図２に示すように、第１滑り止め部５１よりも底部１０側であり、かつ、第１滑り止め部５１の左右両端近傍にそれぞれ形成される。また、本実施形態では、一対の第２滑り止め部５２は、第１滑り止め部５１から連続しており、第１滑り止め部５１側から底部１０側に向かって鉛直方向に帯状に延在している。なお、一対の第２滑り止め部は、図２の構成に限定されず、たとえば、第１滑り止め部５１と連続せず、第１滑り止め部５１から離れて形成してもよいし、また、一対の第２滑り止め部５２を、帯状ではなく、球状などの形状で形成してもよい。
【００１７】
第３滑り止め部５３は、図２に示すように、第１滑り止め部５１よりも底部１０側であり、かつ、一対の第２滑り止め部５２の間に形成される。また、本実施形態において、第３滑り止め部５３は、一対の第２滑り止め部５２と同様に、第１滑り止め部５１から連続しており、第１滑り止め部５１側から底部１０側に向かって鉛直方向に帯状に延在している。
【００１８】
また、第３滑り止め部５３は、図３および図４に示すように、底部１０側の端部が、踵骨の隆起に到達するように形成されている。これにより、本実施形態では、第３滑り止め部５３が踵骨の隆起においてクッションとして働き、靴擦れを有効に防止することができるとともに、装着安定性を高めることができる。
【００１９】
図２に示すように、第３滑り止め部５３から一対の第２滑り止め部５２のそれぞれまでの距離は同程度とすることが好ましい。また、図２に示すように、第３滑り止め部５３と一対の第２滑り止め部５２は、底部１０側の端部の位置が略同一の水平線上に位置し、同程度の長さであることが好ましい。これにより、たとえば第３滑り止め部５３または一対の第２滑り止め部５２のみを有する場合と比べて、フットカバー１を装着した際の踵部４０における生地の張力が、第３滑り止め部５３および一対の第２滑り止め部５２により分散され、皺が寄りにくく使用者に違和感や不快感を与えてしまうことを有効に防止することができる。また、第３滑り止め部５３から一対の第２滑り止め部５２のそれぞれまでの間隔を同程度とし、第３滑り止め部５３および一対の第２滑り止め部５２の底部１０側の端部の位置を略同一の水平線上に位置させることで、滑り止め部５０にかかる摩擦力が分散されるため、フットカバー１の着脱を容易にすることもできる。
【００２０】
さらに、本実施形態に係る滑り止め部５０では、一対の第２滑り止め部５２および第３滑り止め部５３が、靴擦れが生じやすい踵の中心および側面に、鉛直方向に延在して設けられているため、靴擦れを有効に防止することができる。
【００２１】
また、本実施形態において、踵部４０は、立体裁断により形成される。踵部４０を立体裁断により形成することで、踵部４０が自立し易く（倒れにくく）、フットカバー１の脱着を容易にすることができる。また、踵部４０を立体裁断により形成することで、フットカバー１が踵の形状を保持するため、フットカバー１の装着時の締め付けが緩和され、履き心地を向上させることができる。さらに、踵部４０を立体裁断により形成することで、底部１０と側部２０との縫合箇所における生地が撚れて皺が寄ることを低減させることもできる。
【００２２】
（実施例１）
本実施形態に係るフットカバー１を製作し、本実施形態に係るフットカバー１の装着状態と、従来のフットカバーと装着状態とを比較した。図５は、本実施例で製作したフットカバー１と、従来のフットカバーの装着状態を示す写真である。具体的には、図５（Ａ）は、本実施例に係るフットカバー１の装着状態を背面から撮影した写真であり、図５（Ｂ）は、本実施例に係るフットカバー１の装着状態を後側方から撮影した写真であり、図５（Ｃ）は、本実施例に係るフットカバー１の装着状態を前側方から撮影した写真である。また、図５（Ｄ）は、従来のフットカバーの装着状態を背面から撮影した写真であり、図５（Ｅ）は、従来のフットカバーの装着状態を後側方から撮影した写真であり、図５（Ｆ）は、従来のフットカバーの装着状態を前側方から撮影した写真である。なお、図５（Ｄ）〜（Ｆ）に示す従来のフットカバーは、踵部に滑り止め部を有しておらず、かつ、立体裁断により踵部を形成していないものである。
【００２３】
従来のフットカバーでは、立体裁断により踵部を形成していないため、図５（Ｄ）〜（Ｆ）に示すように、踵部のうち、底部と側部との縫合箇所において生地に撚り（撓み）が生じ、これにより、フットカバーの側面に皺が寄っていることが分かる。このように、生地に撚りが生じ皺が寄ると、使用者に違和感や不快感を与えてしまうこととなる。
【００２４】
これに対して、第１実施形態に係るフットカバー１では、立体裁断により踵部４０を形成しているため、図５（Ａ）〜（Ｃ）に示すように、踵部４０の底部１０と側部２０との縫合箇所において生地に撚りが生じず、使用者の足がフットカバー１と隙間なく密着することができ、フットカバー１を装着した際の密着性やフィット感を高めることができるとともに、違和感や不快感を低減させることができる。
【００２５】
（実施例２）
次に、本実施形態に係るフットカバー１と、本実施形態には該当しない３種類のフットカバーとを用意し、脱着の容易性、締め付け感、フィット感、皺による足底部の不快感および靴擦れについて官能評価を行ってもらった。具体的には、実施例１でも用いた、本実施例に係るフットカバー１をサンプルＮｏ．１とし、本実施形態に係る滑り止め５０とは異なる形状の滑り止め部（第３滑り止め部５３を有していない滑り止め部）を有する既存のフットカバーをサンプルＮｏ．２とした。また、滑り止め部を有しない既存のフットカバーをサンプルＮｏ．３およびサンプルＮｏ．４として用意した。
【００２６】
そして、５名の評価パネラーに、それぞれのフットカバーを履いてもらい、５段階で各項目について官能評価を行ってもらった。官能評価において、「脱着の容易性」は、左右それぞれ３回ずつ着脱してもらい、着脱の容易性を５段階（高いほど着脱が容易である）で評価してもらった。また、「締め付け感」、「フィット感」、「足底部の不快感」および「靴擦れ」については、フットカバーを装着した後に靴を履いてもらい、３分間、踏み台昇降を行ってもらった後に、「締め付け感」、「フィット感」、「足底部の不快感」および「靴擦れ」のそれぞれを５段階で評価してもらった。なお、「締め付け感」は、締め付けが少ないほど点数が高くなるように評価をしてもらい、「フィット感」は、フィットするほど点数が高くなるように評価をしてもらい、足底部の不快感は、不快感が少ないほど点数が高くなるように評価をしてもらい、靴ずれは、靴擦れ状況、炎症、または不快感を使用後に確認してもらい、靴擦れ状況、炎症、または不快感が低いほど点数が高くなるように評価をしてもらった。
【００２７】
下記表１に、「脱着の容易性」についての評価結果を示す。下記表１に示すように、本実施例に係るフットカバー１（サンプルＮｏ．１）では、「脱着の容易性」の評価が、他のフットカバー（サンプルＮｏ．２〜４）と比べて平均で１点以上高くなることが分かった。これは、本実施形態に係るフットカバー１では、鉛直方向に帯状に伸びる一対の第２滑り止め部５２および第３滑り止め部５３を有するため、摩擦力が分散されて、フットカバー１の脱着が他のフットカバーと比べて容易になったためと考えられる。
【表１】
2020139253.tif 000003
【００２８】
また、下記表２に、「締め付け感」についての評価結果を示す。下記表２に示すように、本実施例に係るフットカバー１（サンプルＮｏ．１）では、「締め付け感」が、他のフットカバー（サンプルＮｏ．２〜４）と比べて平均で１点以上高くなることが分かった。これは、本実施例に係るフットカバー１では、立体裁断により踵部４０を形成することで、装着時に踵部４０が鉛直方向に伸縮しやすくなり、これにより、「締め付け感」が緩和されたためと考えられる。
【表２】
2020139253.tif 000004
【００２９】
また、下記表３に、「フィット感」についての評価結果を示す。下記表３に示すように、本実施例に係るフットカバー１（サンプルＮｏ．１）では、「フィット感」が、他のフットカバー（サンプルＮｏ．２〜４）と比べて平均で１点以上高くなることが分かった。これは、本実施形態に係るフットカバー１では、立体裁断により皺が寄らなくなり密着性が高くなったことに加えて、第１滑り止め部５１が２つのアーチ部５１２，５１３を有し、当該アーチ部５１２，５１３が使用者の踵を側面からも包むことで装着安定性が増し、「フィット感」が他のフットカバーよりも高くなったためと考えられる。
【表３】
2020139253.tif 000005
【００３０】
また、下記表４に、「足底部の不快感」についての評価結果を示す。下記表４に示すように、本実施形態に係るフットカバー１（サンプルＮｏ．１）では、「足底部の不快感」の評価が、他のフットカバー（サンプルＮｏ．２〜４）と比べて高くなることが分かった。これは、本実施形態に係るフットカバー１では、一対の第２滑り止め部５２と第３滑り止め部５３とを有することで生地の張力が分散されることに加えて、立体裁断を行うことで、底部１０と側部２０との縫合箇所において生地に撚りが生じず、皺による足底部の不快感を低減させることができたためと考えられる。
【表４】
2020139253.tif 000006
【００３１】
また、下記表５に、「靴擦れ」についての評価結果を示す。下記表５に示すように、本実施例に係るフットカバー１（サンプルＮｏ．１）では、「靴擦れ」の評価が、他のフットカバー（サンプルＮｏ．２〜４）と比べて高くなることが分かった。これは、本実施例に係るフットカバー１では、滑り止め部５０、特に、一対の第２滑り止め部５２および第３滑り止め部５３が、足と靴との間のクッションとなり靴擦れを低減することができたためと考えられる。
【表５】
2020139253.tif 000007
【００３２】
以上のように、本実施形態に係るフットカバー１は、踵部４０の上端部４１に設けられ、上端部４１に沿って延在する帯状の第１滑り止め部５１と、第１滑り止め部５１の左右両端近傍にそれぞれ形成され、かつ、第１滑り止め部５１側から底部１０側へとそれぞれ延在する一対の第２滑り止め部５２と、一対の第２滑り止め部５２の間に形成され、かつ、第１滑り止め部５１側から底部１０側へと延在する帯状の第３滑り止め部５３とを有する、滑り止め部５０を有することで、フットカバー１が使用者の意図に反して脱げてしまうことを防止することができることに加えて、滑り止め部５０の摩擦力を分散してフットカバー１の着脱を容易にすることができ、また、生地の張力を分散させて生地の伸縮のバラツキを抑えることで皺が寄りにくく皺による使用者の違和感や不快感を低減することができ、さらに、靴擦れを有効に防止するということができるという機能を一度に発揮することが可能となる。
【００３３】
≪第２実施形態≫
次に、第２実施形態に係るフットカバー１ａについて説明する。図６は、第２実施形態に係る滑り止め部５０ａを示す図である。第２実施形態に係るフットカバー１ａは、滑り止め部５０ａが、図６に示すように、全体として、アルファベット大文字のＥの文字を時計周りに９０度回転させたような形状となっていること以外は、第１実施形態に係るフットカバー１と同様に構成される。
【００３４】
具体的には、第２実施形態に係る滑り止め部５０ａは、図６に示すように、第１滑り止め部５１ａ、一対の第２滑り止め部５２ａ、および第３滑り止め部５３を備えている。第２実施形態に係る滑り止め部５０ａは、第１実施形態に係る滑り止め部５０とは異なり、曲線を有さない形状となっており、第１滑り止め部５１ａ、一対の第２滑り止め部５２ａ、および第３滑り止め部５３はそれぞれ直線状となっている。そのため、滑り止め部５０の上辺５１１ａは直線となるため、第１実施形態に係るフットカバー１と比べて、使用者の踵を側面から包む作用は弱くなり、装着安定性は少し低下することが考えられる。
【００３５】
しかしながら、第２実施形態に係るフットカバー１ａでも、第１実施形態に係るフットカバー１と同様に、滑り止め部５０ａの摩擦力を分散してフットカバー１の着脱を容易にすることができるとともに、生地の張力を分散することで生地の伸縮のバラツキを抑え皺が寄りにくく皺による使用者の違和感や不快感を低減することができ、さらに、靴擦れを防止するという機能を一度に発揮することが可能となる。
【００３６】
以上、本発明の好ましい実施形態例について説明したが、本発明の技術的範囲は上記実施形態例の記載に限定されるものではない。上記実施形態例には様々な変更・改良を加えることが可能であり、そのような変更または改良を加えた形態のものも本発明の技術的範囲に含まれる。
【符号の説明】
【００３７】
１，１ａ…フットカバー
１０…底部
２０…側部
４０…踵部
４１…上端部
４２…上端縁
４２１，４２２…アーチ
５０，５０ａ…滑り止め部
５１，５１ａ…第１滑り止め部
５１１，５１１ａ…上辺
５１２，５１３…アーチ部
５１４…谷部
５２，５２ａ…第２滑り止め部
５３，５３ａ…第３滑り止め部
【図１】
2020139253.tif 000008
【図２】
2020139253.tif 000009
【図３】
2020139253.tif 000010
【図４】
2020139253.tif 000011
【図５】
2020139253.tif 000012
【図６】
2020139253.tif 000013